(57)【要約】      （修正有）【課題】交流変換制御回路及び装置を提供する。【解決手段】交流変換制御回路は、電圧フィードバック回路９、電流フィードバック回路１５、第１の駆動回路８、電圧検出回路１０、電流検出回路１２、第２の駆動回路１１及び主制御回路１４が設けられて、交流変換制御を実現する。具体的に、主制御回路を回路全体の主制御センターとし、主制御回路は、電圧フィードバック回路、電流フィードバック回路の入力信号に基づいて第１の駆動回路の動作を制御し、さらにＤＣ−ＤＣ変換回路６の動作を制御し、また、主制御回路は、電圧検出回路、電流検出回路の入力信号に基づいて第２の駆動回路の動作を制御し、さらにＤＣ−ＡＣ変換回路７の動作を制御して、ＡＣ−ＡＣ変換に対する制御を実現し、回路の構造が簡単で、前後段のフィードバック制御が設けられることにより、回路の信頼性が高く、動作安定性が高い。【選択図】図１
0003220217.tif 000002
【実用新案登録請求の範囲】
【請求項１】
ＡＣ入力端、ＡＣ出力端及びＡＣ−ＡＣ変換ユニットを含み、前記ＡＣ−ＡＣ変換ユニットは整流フィルタ回路、ＤＣ−ＤＣ変換回路及びＤＣ−ＡＣ変換回路を含み、前記ＡＣ入力端は前記整流フィルタ回路の入力端に接続され、前記整流フィルタ回路の出力端は前記ＤＣ−ＤＣ変換回路の入力端に接続され、前記ＤＣ−ＤＣ変換回路の出力端は前記ＤＣ−ＡＣ変換回路の入力端に接続され、前記ＤＣ−ＡＣ変換回路の出力端は前記ＡＣ出力端に接続される交流変換制御回路であって、
前記交流変換制御回路は、さらに電圧フィードバック回路、電流フィードバック回路、第１の駆動回路、電圧検出回路、電流検出回路、第２の駆動回路及び主制御回路を含み、前記ＤＣ−ＤＣ変換回路の出力端は、それぞれ前記電圧フィードバック回路の入力端、前記電圧検出回路の入力端に接続され、前記ＤＣ−ＡＣ変換回路の出力端は、それぞれ前記電流フィードバック回路の入力端、前記電流検出回路の入力端に接続され、前記電圧フィードバック回路の出力端、前記電流フィードバック回路の出力端、前記電流検出回路の出力端、及び前記電圧検出回路の出力端は、いずれも主制御回路の入力端に接続され、前記主制御回路の出力端は、前記電圧フィードバック回路、前記電流フィードバック回路の入力信号に基づいて前記第１の駆動回路の動作を制御するように前記第１の駆動回路の入力端に接続され、前記主制御回路の出力端は、前記電圧検出回路、前記電流検出回路の入力信号に基づいて前記第２の駆動回路の動作を制御するように前記第２の駆動回路の入力端に接続され、前記第１の駆動回路の出力端は、前記ＤＣ−ＤＣ変換回路の入力端に接続され、前記第２の駆動回路の出力端は、前記ＤＣ−ＡＣ変換回路の入力端に接続されることを特徴とする交流変換制御回路。
【請求項２】
出力端がそれぞれ前記第１の駆動回路の入力端、前記電圧フィードバック回路の入力端、前記電流フィードバック回路の入力端、前記主制御回路の入力端、及び前記第２の駆動回路の入力端に接続されているＤＣ給電回路をさらに含むことを特徴とする請求項１に記載の交流変換制御回路。
【請求項３】
出力端が前記主制御回路の入力端に接続されている温度検出回路をさらに含むことを特徴とする請求項１に記載の交流変換制御回路。
【請求項４】
入力端が前記主制御回路の出力端に接続されているファン制御回路をさらに含むことを特徴とする請求項１に記載の交流変換制御回路。
【請求項５】
入力端が前記整流フィルタ回路の出力端に接続されて、出力端が前記主制御回路の入力端に接続されている過負荷検出回路をさらに含むことを特徴とする請求項１に記載の交流変換制御回路。
【請求項６】
前記電圧検出回路は、第１の電圧サンプリング抵抗、第２の電圧サンプリング抵抗、第３の電圧サンプリング抵抗、第４の電圧サンプリング抵抗及び第１のフィルタコンデンサを含み、前記ＤＣ−ＤＣ変換回路の出力端が、前記第３の電圧サンプリング抵抗の一端に接続され、前記第３の電圧サンプリング抵抗の他端が前記第２の電圧サンプリング抵抗の一端と、前記第４の電圧サンプリング抵抗の一端とに接続され、前記第２の電圧サンプリング抵抗の他端が、前記第１の電圧サンプリング抵抗の一端と、前記第１のフィルタコンデンサの一端とに接続され、前記第１の電圧サンプリング抵抗の他端、前記第４の電圧サンプリング抵抗の他端、前記第１のフィルタコンデンサの他端が、第２の電源グランドに接続され、前記第１のフィルタコンデンサの一端が、前記主制御回路の入力端に接続されることを特徴とする請求項１〜５のいずれか一項に記載の交流変換制御回路。
【請求項７】
前記電流検出回路は、第５の電流サンプリング抵抗、第６の電流サンプリング抵抗及び第２のフィルタコンデンサを含み、前記ＤＣ−ＡＣ変換回路の出力端は、前記第５の電流サンプリング抵抗の一端と、前記第６の電流サンプリング抵抗の一端とに接続され、前記第５の電流サンプリング抵抗の他端は、第２の電源グランドに接続され、前記第６の電流サンプリング抵抗の他端は、前記主制御回路の入力端と、前記第２のフィルタコンデンサの一端のいずれにも接続され、前記第２のフィルタコンデンサの他端は、第２の電源グランドに接続されることを特徴とする請求項１〜５のいずれか一項に記載の交流変換制御回路。
【請求項８】
前記電圧フィードバック回路及び電流フィードバック回路は電圧電流フィードバック回路であり、前記電圧電流フィードバック回路は、第５の電流サンプリング抵抗、第１の電流サンプリング抵抗、第１の基準電圧回路、第５の電圧サンプリング抵抗、第６の電圧サンプリング抵抗、第２の基準電圧回路及び電圧比較器を含み、前記第１の基準電圧回路の出力端、前記第２の基準電圧回路の出力端は、いずれも前記電圧比較器の入力端に接続され、
前記ＤＣ−ＤＣ変換回路の出力端は、前記第５の電圧サンプリング抵抗の一端に接続され、前記第５の電圧サンプリング抵抗の他端は、前記第６の電圧サンプリング抵抗の一端に接続され、前記第６の電圧サンプリング抵抗の他端は、第２の電源グランドに接続され、前記第５の電圧サンプリング抵抗の他端は、前記電圧比較器の入力端に接続され、
前記ＤＣ−ＡＣ変換回路の出力端は、前記第５の電流サンプリング抵抗の一端に接続され、前記第５の電流サンプリング抵抗の他端は、第２の電源グランドに接続され、前記第５の電流サンプリング抵抗の一端は、前記第１の電流サンプリング抵抗の一端に接続され、前記第１の電流サンプリング抵抗の他端は、前記電圧比較器の入力端に接続され、前記電圧比較器の出力端は、前記主制御回路の入力端に接続されることを特徴とする請求項１〜５のいずれか一項に記載の交流変換制御回路。
【請求項９】
前記ＤＣ−ＤＣ変換回路は、ＬＣフィルタ、第１のスイッチトランジスタ及び第１のダイオードを含み、前記第１のスイッチトランジスタの正出力端は、前記整流フィルタ回路の出力端に接続され、前記第１のスイッチトランジスタの制御端は、前記第１の駆動回路の出力端に接続され、前記第１のスイッチトランジスタの負出力端は、それぞれ前記ＬＣフィルタの入力端、前記第１のダイオードの負極に接続され、前記第１のダイオードの正極は、第２の電源グランドに接続され、前記ＬＣフィルタの出力端は、それぞれ前記ＤＣ−ＡＣ変換回路の入力端、前記電圧フィードバック回路の入力端、前記電圧検出回路の入力端に接続されることを特徴とする請求項１〜５のいずれか一項に記載の交流変換制御回路。
【請求項１０】
前記第１の駆動回路は、ブリッジドライバ、第３のスイッチトランジスタ、第４のスイッチトランジスタ及び第１の有極性コンデンサを含み、前記主制御回路の出力端は、前記ブリッジドライバの入力端に接続され、前記ブリッジドライバのフローティング電源端は、第１の電源の正極に接続され、前記第１の電源の正極は、前記第１の有極性コンデンサの正極、前記第３のスイッチトランジスタの正出力端に接続され、前記第３のスイッチトランジスタの制御端は、第４のスイッチトランジスタの制御端に接続され、前記第３のスイッチトランジスタの制御端は、前記ブリッジドライバの第１の駆動端に接続され、前記ブリッジドライバのフローティング電源リターン端、前記第４のスイッチトランジスタの正出力端、前記第１の有極性コンデンサの負極及び前記第１のスイッチトランジスタの負出力端は、いずれも第１の電源グランドに接続され、前記第３のスイッチトランジスタの負出力端は、第４のスイッチトランジスタの負出力端に接続され、前記第３のスイッチトランジスタの負出力端は、前記第１のスイッチトランジスタの制御端に接続されることを特徴とする請求項９に記載の交流変換制御回路。
【請求項１１】
前記ＤＣ−ＤＣ変換回路は、ＬＣフィルタ、第１のスイッチトランジスタ及び第２のスイッチトランジスタを含み、前記第１のスイッチトランジスタの正出力端は、前記整流フィルタ回路の出力端に接続され、前記第１のスイッチトランジスタの制御端、前記第２のスイッチトランジスタの制御端は、それぞれ前記第１の駆動回路の出力端に接続され、前記第１のスイッチトランジスタの負出力端は、それぞれ前記ＬＣフィルタの入力端、前記第２のスイッチトランジスタの正出力端に接続され、前記第２のスイッチトランジスタの制御端は、前記第２のスイッチトランジスタの負出力端に接続され、前記第２のスイッチトランジスタの負出力端は、第２の電源グランドに接続され、前記ＬＣフィルタの出力端は、それぞれ前記ＤＣ−ＡＣ変換回路の入力端、前記電圧フィードバック回路の入力端、前記電圧検出回路の入力端に接続されることを特徴とする請求項１〜５のいずれか一項に記載の交流変換制御回路。
【請求項１２】
前記第１の駆動回路は、ブリッジドライバ、第３のスイッチトランジスタ、第４のスイッチトランジスタ、第１の有極性コンデンサ、第２のダイオード、第５のスイッチトランジスタ、第６のスイッチトランジスタ及び第２の有極性コンデンサを含み、前記主制御回路の出力端は、前記ブリッジドライバの入力端に接続され、前記ブリッジドライバのフローティング電源端は、第１の電源の正極と、前記第２のダイオードの負極とに接続され、前記第２のダイオードの正極は、第２の電源、前記ブリッジドライバの電源端に接続され、前記第１の電源の正極は、前記第１の有極性コンデンサの正極、前記第３のスイッチトランジスタの正出力端に接続され、前記第３のスイッチトランジスタの制御端は、第４のスイッチトランジスタの制御端に接続され、前記第３のスイッチトランジスタの制御端は、前記ブリッジドライバの第１の駆動端に接続され、前記ブリッジドライバのフローティング電源リターン端、前記第４のスイッチトランジスタの正出力端、前記第１の有極性コンデンサの負極及び前記第１のスイッチトランジスタの負出力端は、いずれも第１の電源グランドに接続され、前記第３のスイッチトランジスタの負出力端は、第４のスイッチトランジスタの負出力端に接続され、前記第３のスイッチトランジスタの負出力端は、前記第１のスイッチトランジスタの制御端に接続され、
前記ブリッジドライバの第２の駆動端は、前記第５のスイッチトランジスタの制御端と、前記第６のスイッチトランジスタの制御端とに接続され、前記第５のスイッチトランジスタの正出力端は、前記第２の電源に接続され、前記第２の有極性コンデンサの正極は、前記第２の電源に接続され、前記第２の有極性コンデンサの負極、前記第６のスイッチトランジスタの正出力端は、第２の電源グランドに接続され、前記第５のスイッチトランジスタの負出力端は、前記第６のスイッチトランジスタの負出力端に接続され、前記第５のスイッチトランジスタの負出力端は、前記第２のスイッチトランジスタの制御端に接続されることを特徴とする請求項１１に記載の交流変換制御回路。
【請求項１３】
請求項１〜１２のいずれか１項に記載の交流変換制御回路を含むことを特徴とする交流変換制御装置。
【考案の詳細な説明】
【技術分野】
【０００１】
本考案は、交流電流の分野に関し、特に交流変換制御回路及び装置に関する。
【背景技術】
【０００２】
電源回路とは、電気機器に電力を供給するための電源部分の回路設計であり、使用される回路形式や特徴として、交流回路もあれば、直流回路もある。
現在、交流変換制御回路において、回路構成が複雑で信頼性が低いため、電源回路の動作安定性が低い。
【考案の概要】
【考案が解決しようとする課題】
【０００３】
本考案は、関連技術における技術的課題の一つを少なくともある程度解決しようとする。そのため、本考案は、回路安定性が高い交流変換制御回路及び装置を提供することを目的とする。
【課題を解決するための手段】
【０００４】
本考案には、以下のような技術手段が用いられる。交流変換制御回路において、ＡＣ入力端、ＡＣ出力端及びＡＣ−ＡＣ変換ユニットを含み、前記ＡＣ−ＡＣ変換ユニットは整流フィルタ回路、ＤＣ−ＤＣ変換回路及びＤＣ−ＡＣ変換回路を含み、前記ＡＣ入力端は前記整流フィルタ回路の入力端に接続され、前記整流フィルタ回路の出力端は前記ＤＣ−ＤＣ変換回路の入力端に接続され、前記ＤＣ−ＤＣ変換回路の出力端は前記ＤＣ−ＡＣ変換回路の入力端に接続され、前記ＤＣ−ＡＣ変換回路の出力端は前記ＡＣ出力端に接続され、前記交流変換制御回路は、さらに電圧フィードバック回路、電流フィードバック回路、第１の駆動回路、電圧検出回路、電流検出回路、第２の駆動回路及び主制御回路を含み、前記ＤＣ−ＤＣ変換回路の出力端は、それぞれ前記電圧フィードバック回路の入力端、前記電圧検出回路の入力端に接続され、前記ＤＣ−ＡＣ変換回路の出力端は、それぞれ前記電流フィードバック回路の入力端、前記電流検出回路の入力端に接続され、前記電圧フィードバック回路の出力端、前記電流フィードバック回路の出力端、前記電流検出回路の出力端、及び前記電圧検出回路の出力端は、いずれも主制御回路の入力端に接続され、前記主制御回路の出力端は、前記電圧フィードバック回路、前記電流フィードバック回路の入力信号に基づいて前記第１の駆動回路の動作を制御するように前記第１の駆動回路の入力端に接続され、前記主制御回路の出力端は、前記電圧検出回路、前記電流検出回路の入力信号に基づいて前記第２の駆動回路の動作を制御するように前記第２の駆動回路の入力端に接続され、前記第１の駆動回路の出力端は、前記ＤＣ−ＤＣ変換回路の入力端に接続され、前記第２の駆動回路の出力端は、前記ＤＣ−ＡＣ変換回路の入力端に接続される。
【０００５】
さらに、前記交流変換制御回路は、出力端がそれぞれ前記第１の駆動回路の入力端、前記電圧フィードバック回路の入力端、前記電流フィードバック回路の入力端、前記主制御回路の入力端、及び前記第２の駆動回路の入力端に接続されているＤＣ給電回路をさらに含む。
【０００６】
さらに、前記交流変換制御回路は、出力端が前記主制御回路の入力端に接続されている温度検出回路をさらに含む。
【０００７】
さらに、前記交流変換制御回路は、入力端が前記主制御回路の出力端に接続されているファン制御回路をさらに含む。
【０００８】
さらに、前記交流変換制御回路は、入力端が前記整流フィルタ回路の出力端に接続されて、出力端が前記主制御回路の入力端に接続されている過負荷検出回路をさらに含む。
【０００９】
さらに、前記電圧検出回路は、第１の電圧サンプリング抵抗、第２の電圧サンプリング抵抗、第３の電圧サンプリング抵抗、第４の電圧サンプリング抵抗及び第１のフィルタコンデンサを含み、前記ＤＣ−ＤＣ変換回路の出力端が、前記第３の電圧サンプリング抵抗の一端に接続され、前記第３の電圧サンプリング抵抗の他端が前記第２の電圧サンプリング抵抗の一端と、前記第４の電圧サンプリング抵抗の一端とに接続され、前記第２の電圧サンプリング抵抗の他端が、前記第１の電圧サンプリング抵抗の一端と、前記第１のフィルタコンデンサの一端とに接続され、前記第１の電圧サンプリング抵抗の他端、前記第４の電圧サンプリング抵抗の他端、前記第１のフィルタコンデンサの他端が、第２の電源グランドに接続され、前記第１のフィルタコンデンサの一端が、前記主制御回路の入力端に接続される。
【００１０】
さらに、前記電流検出回路は、第５の電流サンプリング抵抗、第６の電流サンプリング抵抗及び第２のフィルタコンデンサを含み、前記ＤＣ−ＡＣ変換回路の出力端は、前記第５の電流サンプリング抵抗の一端と、前記第６の電流サンプリング抵抗の一端とに接続され、前記第５の電流サンプリング抵抗の他端は、第２の電源グランドに接続され、前記第６の電流サンプリング抵抗の他端は、前記主制御回路の入力端と、前記第２のフィルタコンデンサの一端のいずれにも接続され、前記第２のフィルタコンデンサの他端は、第２の電源グランドに接続される。
【００１１】
さらに、前記電圧フィードバック回路及び電流フィードバック回路は電圧電流フィードバック回路であり、前記電圧電流フィードバック回路は、第５の電流サンプリング抵抗、第１の電流サンプリング抵抗、第１の基準電圧回路、第５の電圧サンプリング抵抗、第６の電圧サンプリング抵抗、第２の基準電圧回路及び電圧比較器を含み、前記第１の基準電圧回路の出力端、前記第２の基準電圧回路の出力端は、いずれも前記電圧比較器の入力端に接続され、前記ＤＣ−ＤＣ変換回路の出力端は、前記第５の電圧サンプリング抵抗の一端に接続され、前記第５の電圧サンプリング抵抗の他端は、前記第６の電圧サンプリング抵抗の一端に接続され、前記第６の電圧サンプリング抵抗の他端は、第２の電源グランドに接続され、前記第５の電圧サンプリング抵抗の他端は、前記電圧比較器の入力端に接続され、前記ＤＣ−ＡＣ変換回路の出力端は、前記第５の電流サンプリング抵抗の一端に接続され、前記第５の電流サンプリング抵抗の他端は、第２の電源グランドに接続され、前記第５の電流サンプリング抵抗の一端は、前記第１の電流サンプリング抵抗の一端に接続され、前記第１の電流サンプリング抵抗の他端は、前記電圧比較器の入力端に接続され、前記電圧比較器の出力端は、前記主制御回路の入力端に接続される。
【００１２】
さらに、前記ＤＣ−ＤＣ変換回路は、ＬＣフィルタ、第１のスイッチトランジスタ及び第１のダイオードを含み、前記第１のスイッチトランジスタの正出力端は、前記整流フィルタ回路の出力端に接続され、前記第１のスイッチトランジスタの制御端は、前記第１の駆動回路の出力端に接続され、前記第１のスイッチトランジスタの負出力端は、それぞれ前記ＬＣフィルタの入力端、前記第１のダイオードの負極に接続され、前記第１のダイオードの正極は、第２の電源グランドに接続され、前記ＬＣフィルタの出力端は、それぞれ前記ＤＣ−ＡＣ変換回路の入力端、前記電圧フィードバック回路の入力端、前記電圧検出回路の入力端に接続される。
【００１３】
さらに、前記第１の駆動回路は、ブリッジドライバ、第３のスイッチトランジスタ、第４のスイッチトランジスタ及び第１の有極性コンデンサを含み、前記主制御回路の出力端は、前記ブリッジドライバの入力端に接続され、前記ブリッジドライバのフローティング電源端は、第１の電源の正極に接続され、前記第１の電源の正極は、前記第１の有極性コンデンサの正極、前記第３のスイッチトランジスタの正出力端に接続され、前記第３のスイッチトランジスタの制御端は、第４のスイッチトランジスタの制御端に接続され、前記第３のスイッチトランジスタの制御端は、前記ブリッジドライバの第１の駆動端に接続され、前記ブリッジドライバのフローティング電源リターン端、前記第４のスイッチトランジスタの正出力端、前記第１の有極性コンデンサの負極及び前記第１のスイッチトランジスタの負出力端は、いずれも第１の電源グランドに接続され、前記第３のスイッチトランジスタの負出力端は、第４のスイッチトランジスタの負出力端に接続され、前記第３のスイッチトランジスタの負出力端は、前記第１のスイッチトランジスタの制御端に接続される。
【００１４】
さらに、前記ＤＣ−ＤＣ変換回路は、ＬＣフィルタ、第１のスイッチトランジスタ及び第２のスイッチトランジスタを含み、前記第１のスイッチトランジスタの正出力端は、前記整流フィルタ回路の出力端に接続され、前記第１のスイッチトランジスタの制御端、前記第２のスイッチトランジスタの制御端は、それぞれ前記第１の駆動回路の出力端に接続され、前記第１のスイッチトランジスタの負出力端は、それぞれ前記ＬＣフィルタの入力端、前記第２のスイッチトランジスタの正出力端に接続され、前記第２のスイッチトランジスタの制御端は、前記第２のスイッチトランジスタの負出力端に接続され、前記第２のスイッチトランジスタの負出力端は、第２の電源グランドに接続され、前記ＬＣフィルタの出力端は、それぞれ前記ＤＣ−ＡＣ変換回路の入力端、前記電圧フィードバック回路の入力端、前記電圧検出回路の入力端に接続される。
【００１５】
さらに、前記第１の駆動回路は、ブリッジドライバ、第３のスイッチトランジスタ、第４のスイッチトランジスタ、第１の有極性コンデンサ、第２のダイオード、第５のスイッチトランジスタ、第６のスイッチトランジスタ及び第２の有極性コンデンサを含み、前記主制御回路の出力端は、前記ブリッジドライバの入力端に接続され、前記ブリッジドライバのフローティング電源端は、第１の電源の正極と、前記第２のダイオードの負極とに接続され、前記第２のダイオードの正極は、第２の電源、前記ブリッジドライバの電源端に接続され、前記第１の電源の正極は、前記第１の有極性コンデンサの正極、前記第３のスイッチトランジスタの正出力端に接続され、前記第３のスイッチトランジスタの制御端は、第４のスイッチトランジスタの制御端に接続され、前記第３のスイッチトランジスタの制御端は、前記ブリッジドライバの第１の駆動端に接続され、前記ブリッジドライバのフローティング電源リターン端、前記第４のスイッチトランジスタの正出力端、前記第１の有極性コンデンサの負極及び前記第１のスイッチトランジスタの負出力端は、いずれも第１の電源グランドに接続され、前記第３のスイッチトランジスタの負出力端は、第４のスイッチトランジスタの負出力端に接続され、前記第３のスイッチトランジスタの負出力端は、前記第１のスイッチトランジスタの制御端に接続され、前記ブリッジドライバの第２の駆動端は、前記第５のスイッチトランジスタの制御端と、前記第６のスイッチトランジスタの制御端とに接続され、前記第５のスイッチトランジスタの正出力端は、前記第２の電源に接続され、前記第２の有極性コンデンサの正極は、前記第２の電源に接続され、前記第２の有極性コンデンサの負極、前記第６のスイッチトランジスタの正出力端は、第２の電源グランドに接続され、前記第５のスイッチトランジスタの負出力端は、前記第６のスイッチトランジスタの負出力端に接続され、前記第５のスイッチトランジスタの負出力端は、前記第２のスイッチトランジスタの制御端に接続される。
本考案に用いられる別の技術手段は、前記交流変換制御回路を含む交流変換制御装置である。
【考案の効果】
【００１６】
本考案は、以下のような有益な効果を有する。
本考案における交流変換制御回路において、電圧フィードバック回路、電流フィードバック回路、第１の駆動回路、電圧検出回路、電流検出回路、第２の駆動回路及び主制御回路が設けられて、交流変換制御を実現し、具体的に、主制御回路を回路全体の主制御センターとし、主制御回路は、電圧フィードバック回路、電流フィードバック回路の入力信号に基づいて第１の駆動回路の動作を制御し、さらにＤＣ−ＤＣ変換回路の動作を制御し、また、主制御回路は、電圧検出回路、電流検出回路の入力信号に基づいて第２の駆動回路の動作を制御し、さらにＤＣ−ＡＣ変換回路の動作を制御し、ＡＣ−ＡＣ変換に対する制御を実現し、回路の構造が簡単で、前後段のフィードバック制御が設けられることにより、回路の信頼性が高く、動作安定性が高く、従来の技術における交流変換制御回路の構造が複雑で信頼性が低く、回路の動作安定性が低いという技術的問題を解消する。
本考案における交流変換制御装置は、動作安定性が高い交流変換制御回路を含むため、装置の安定性が高い。
【図面の簡単な説明】
【００１７】
【図１】本考案における交流変換制御回路の具体的な実施例の構造ブロック図である。
【図２】本考案における交流変換制御回路のＡＣ入力端、整流フィルタ回路、ＤＣ−ＤＣ変換回路、ＤＣ−ＡＣ変換回路、ＡＣ出力端、電圧検出回路、電流検出回路の具体的な実施例の回路図である。
【図３】本考案における交流変換制御回路の電圧フィードバック回路及び電流フィードバック回路の具体的な実施例の回路図である。
【図４】本考案における交流変換制御回路の第２の駆動回路の具体的な実施例の回路図である。
【図５】本考案における交流変換制御回路の主制御回路、スイッチ制御回路、状態指示回路、温度検出回路、ファン制御回路及び過負荷検出回路の具体的な実施例の回路図である。
【図６】本考案における交流変換制御回路の第１の駆動回路の具体的な実施例の回路図である。
【図７】本考案における交流変換制御回路のＤＣ−ＤＣ変換回路及び第１の駆動回路の具体的な実施例の回路図である。
【図８】本考案における交流変換制御回路のＤＣ給電回路の具体的な実施例の回路図である。
【考案を実施するための形態】
【００１８】
なお、特筆しない限り、本願における実施例及び実施例の特徴は互いに組み合わせることができる。
【００１９】
＜実施例１＞
本考案における交流変換制御回路の具体的な実施例の構造ブロック図である図１を参照する。交流変換制御回路において、ＡＣ入力端１、ＡＣ出力端３及びＡＣ−ＡＣ変換ユニット２を含み、ＡＣ−ＡＣ変換ユニット２は整流フィルタ回路５、ＤＣ−ＤＣ変換回路６及びＤＣ−ＡＣ変換回路７を含み、ＡＣ入力端１は整流フィルタ回路５の入力端に接続され、整流フィルタ回路５の出力端はＤＣ−ＤＣ変換回路６の入力端に接続され、ＤＣ−ＤＣ変換回路６の出力端はＤＣ−ＡＣ変換回路７の入力端に接続され、ＤＣ−ＡＣ変換回路７の出力端はＡＣ出力端３に接続される。また、交流変換制御回路は、制御ユニット４をさらに含み、制御ユニット４は、電圧フィードバック回路９、電流フィードバック回路１５、第１の駆動回路８、電圧検出回路１０、電流検出回路１２、第２の駆動回路１１、ＤＣ給電回路１３及び主制御回路１４を含み、ＤＣ給電回路１３の出力端は、それぞれ第１の駆動回路８の入力端、電圧フィードバック回路９の入力端、電流フィードバック回路１５の入力端、主制御回路１４の入力端及び第２の駆動回路１１の入力端に接続され、ＤＣ−ＤＣ変換回路６の出力端は、それぞれ電圧フィードバック回路９の入力端、電圧検出回路１０の入力端に接続され、ＤＣ−ＡＣ変換回路７の出力端は、それぞれ電流フィードバック回路１５の入力端、電流検出回路１２の入力端に接続され、電圧フィードバック回路９の出力端、電流フィードバック回路１５の出力端、電流検出回路１２の出力端、電圧検出回路１０の出力端は、いずれも主制御回路１４の入力端に接続され、主制御回路１４の出力端は、電圧フィードバック回路９、電流フィードバック回路１５の入力信号に基づいて第１の駆動回路８の動作を制御するように第１の駆動回路８の入力端に接続され、さらにＤＣ−ＤＣ変換回路６の動作を制御することができる。主制御回路１４の出力端は、電圧検出回路１０、電流検出回路１２の入力信号に基づいて第２の駆動回路１１の動作を制御するように第２の駆動回路１１の入力端に接続され、さらにＤＣ−ＡＣ変換回路７の動作を制御することができる。第１の駆動回路８の出力端は、ＤＣ−ＤＣ変換回路６の入力端に接続され、第２の駆動回路１１の出力端は、ＤＣ−ＡＣ変換回路７の入力端に接続される。
【００２０】
交流変換制御回路において、電圧フィードバック回路、電流フィードバック回路、第１の駆動回路、電圧検出回路、電流検出回路、第２の駆動回路及び主制御回路が設けられて、交流変換制御を実現し、具体的に、主制御回路を回路全体の主制御センターとし、主制御回路は、電圧フィードバック回路、電流フィードバック回路の入力信号フィードバックに基づいて第１の駆動回路の動作を制御し、さらにＤＣ−ＤＣ変換回路の動作を制御し、また、主制御回路は、電圧検出回路、電流検出回路の入力信号フィードバックに基づいて第２の駆動回路の動作を制御し、さらにＤＣ−ＡＣ変換回路の動作を制御して、ＡＣ−ＡＣ変換に対する制御を実現し、回路の構造が簡単で、前後段のフィードバック制御が設けられることにより、回路の信頼性が高く、動作安定性が高く、従来の技術における交流変換制御回路の構造が複雑で信頼性が低く、回路の動作安定性が低いという技術的問題を解消する。
【００２１】
交流変換制御回路のさらなる改善として、交流変換制御回路は、温度検出回路、ファン制御回路及び過負荷検出回路をさらに含み、温度検出回路の出力端は、主制御回路の入力端に接続され、温度検出回路は、交流変換制御回路の温度データを検出するためのものであり、主制御回路は温度データに基づいて他の回路の動作を制御し、例えば、ＤＣ−ＤＣ変換回路とＤＣ−ＡＣ変換回路の動作を停止させるように制御して、交流変換制御回路が高温に影響されないようにする。主制御回路の出力端は、ファン制御回路の入力端に接続され、主制御回路はファン制御回路の起動動作を定時的に制御して回路の温度を低下させることができ、主制御回路は、さらに温度検出回路のデータに基づいてファン制御回路の起動動作を制御し、一定の温度に達した場合に降温させて、エネルギ消費を節約する。整流フィルタ回路の出力端は、過負荷検出回路の入力端に接続されて交流変換制御回路の入力電圧の大きさを検出し、過負荷検出回路の出力端は、主制御回路の入力端に接続され、主制御回路は、過負荷検出回路の検出データの大きさに基づいて、回路が過負荷であるかを判断して、他の回路の動作を制御し、回路が過負荷高圧により破壊されないようにする。
【００２２】
交流変換制御回路のさらなる改善として、交流変換制御回路は、オンオフ制御回路と、状態指示回路をさらに含み、オンオフ制御回路の出力端は、主制御回路の入力端に接続され、主制御回路の出力端は、状態指示回路の入力端に接続される。オンオフ制御回路は、オンオフ信号を入力して交流変換回路が動作するか否かを制御するためのものであり、交流変換制御回路のオンオフの制御に役立ち、状態表示回路は、交流変換回路の動作状態を指示するために用いられ、例えば、図１に示すように、電流フィードバック回路１５と電流検出回路１２は、ＤＣ−ＡＣ変換回路７の出力電流の大きさを検出して検出信号を主制御回路１４に入力し、主制御回路１４により上記出力電流に異常が発生したと判定すると、状態表示回路は、回路に異常状況の発生を指示するように動作する。同様に、状態指示回路は、交流変換制御回路の動作状態を指示するために用いてもよく、交流変換制御回路が起動して動作すると、主制御回路は、制御状態指示回路を動作させて、交流変換制御回路が動作状態にあることを指示するように制御する。状態指示回路を設けることにより、ユーザが交流変換制御回路の状態を迅速かつ簡単に分かる。
【００２３】
＜実施例２＞
実施例１を基に、実施例２にて実施例１の交流変換制御回路を具体的に説明する。図１及び図２を参照して、図２は本考案における交流変換制御回路のＡＣ入力端、整流フィルタ回路、ＤＣ−ＤＣ変換回路、ＤＣ−ＡＣ変換回路、ＡＣ出力端、電圧検出回路、電流検出回路の具体的な実施例の回路図である。ＡＣ入力端１において、ＡＣ入力端子ＪＰ１が設けられ、例えば１１０Ｖ又は２２０Ｖの商用電力のような交流電力が投入され、ヒューズＦ１とサーミスタＲＴ１を通過した後、第１の交流信号ＡＣ１が生成され、第１の交流信号ＡＣ１は、ＡＣ−ＡＣ変換ユニット２の入力端、すなわち整流ブリッジＢＲ１及びコンデンサＣＥ１を含む整流フィルタ回路５の入力端に入力され、整流フィルタ回路５及びコンデンサＣＥ１により整流フィルタリングされた後、第１の直流信号ＤＣ１が生成される。第１の直流信号ＤＣ１は、ＤＣ−ＤＣ変換回路６に入力されてＤＣ変換され、第２の直流信号ＤＣ２を取得し、ＤＣ−ＤＣ変換回路６は主制御回路１４及び第１の駆動回路８により制御され、第２の直流信号ＤＣ２はＤＣ−ＡＣ変換回路７に入力されて逆変換されて、出力交流信号を取得し、ＤＣ−ＡＣ変換回路７は、パワートランジスタＭ３、パワートランジスタＭ４、パワートランジスタＭ５及びパワートランジスタＭ６を含み、ＤＣ−ＡＣ変換回路７は、主制御回路１４及び第２の駆動電路１１により制御され、主制御回路１４は、電圧検出回路１０及び電流検出回路１２の入力信号に基づいて、第２の駆動回路１１がＰＷＭ信号を出力するようにし、かつＧＴ３、ＧＴ４、ＧＴ５、ＧＴ６出力ポートによりパワートランジスタＭ３、パワートランジスタＭ６及びパワートランジスタＭ４、パワートランジスタＭ５を交互に導通させるように制御し、第２の直流信号ＤＣ２を出力交流信号に変換して、ＤＣ−ＡＣ変換を実現し、出力交流信号は、交流信号を出力するＡＣ出力端子ＪＰ２が設けられたＡＣ出力端３を経由して出力される。
【００２４】
さらに、図１及び図２に示すように、電圧検出回路１０は、第１の電圧サンプリング抵抗Ｒ１０、第２の電圧サンプリング抵抗Ｒ９、第３の電圧サンプリング抵抗Ｒ７、第４の電圧サンプリング抵抗Ｒ８及び第１のフィルタコンデンサＣ１を含み、ＤＣ−ＤＣ変換回路６の出力端（すなわち、第２の直流信号ＤＣ２）が、第３の電圧サンプリング抵抗Ｒ７の一端に接続され、第３の電圧サンプリング抵抗Ｒ７の他端が第２の電圧サンプリング抵抗Ｒ９の一端と、第４の電圧サンプリング抵抗Ｒ８の一端とに接続され、第２の電圧サンプリング抵抗Ｒ９の他端が、第１の電圧サンプリング抵抗Ｒ１０の一端と、第１のフィルタコンデンサＣ１の一端とに接続され、第１の電圧サンプリング抵抗Ｒ１０の他端、第４の電圧サンプリング抵抗Ｒ８の他端、第１のフィルタコンデンサＣ１の他端が、第２の電源グランドＧＮＤに接続され、第１のフィルタコンデンサＣ１の一端、すなわち、ＶＦが、主制御回路の入力端に接続され、電圧検出回路１０を設けることにより、第２の直流信号ＤＣ２をサンプリングし、ＶＦ端によりサンプリング信号を主制御回路１４に入力する。なお、電圧検出回路１０はＤＣ−ＡＣ変換回路７の先端に設けられて、先端電圧検出を実現し、先端の回路の電圧が異常になる場合、主制御回路１４は第２の駆動回路１１を動作しないように制御でき、したがってＤＣ−ＡＣ変換回路７におけるパワートランジスタが動作せず、パワートランジスタが先端の異常電圧により破壊されることを回避することができ、そして、先端での検出を行って、異常電圧に対する応答速度が速く、異常電圧により回路にさらに大きな損傷を与えることを回避する。さらに、電流検出回路１２は、第５の電流サンプリング抵抗Ｒ５、第６の電流サンプリング抵抗Ｒ６及び第２のフィルタコンデンサＣ２を含み、ＤＣ−ＡＣ変換回路７の出力端は、第５の電流サンプリング抵抗Ｒ５の一端と、第６の電流サンプリング抵抗Ｒ６の一端とに接続され、第５の電流サンプリング抵抗Ｒ５の他端は、第２の電源グランドＧＮＤに接続され、第６の電流サンプリング抵抗Ｒ６の他端は、主制御回路の入力端１４と、第２のフィルタコンデンサＣ２の一端のいずれにも接続され、第２のフィルタコンデンサＣ２の他端は、第２の電源グランドＧＮＤに接続される。電流検出回路１２は、第６の電流サンプリング抵抗Ｒ６により第５の電流サンプリング抵抗Ｒ５の両端の電圧をサンプリングして、第２のフィルタコンデンサＣ２によるフィルタリングを経た後に電流信号ＣＤを取得し、第５の電流サンプリング抵抗Ｒ５がＣＤ−ＡＣ変換回路とＡＣ出力端との間に直列接続されているので、ＡＣ出力端の負荷電流の大きさを判断でき、電流信号ＣＤは主制御回路に入力して処理される。
【００２５】
図１、図２及び図３を参照し、図３は本考案における交流変換制御回路の電圧フィードバック回路及び電流フィードバック回路の具体的な実施例の回路図である。電圧フィードバック回路及び電流フィードバック回路は電圧電流フィードバック回路であり、電圧電流フィードバック回路は、第５の電流サンプリング抵抗Ｒ５、第１の電流サンプリング抵抗Ｒ２２、第１の基準電圧回路、第５の電圧サンプリング抵抗、第６の電圧サンプリング抵抗、第２の基準電圧回路及び電圧比較器ＩＣ２を含み、第５の電圧サンプリング抵抗は、順に接続された抵抗Ｒ１７と抵抗Ｒ１９であり、第６の電圧サンプリング抵抗は抵抗Ｒ２１であり、第１の基準電圧回路の出力端、第２の基準電圧回路の出力端は、いずれも電圧比較器の入力端に接続されて、電圧比較用基準電圧を提供し、ＤＣ−ＤＣ変換回路の出力端（すなわち、第２の直流信号ＤＣ２）は、第５の電圧サンプリング抵抗の一端（すなわち、抵抗Ｒ１７の一端）に接続され、第５の電圧サンプリング抵抗の他端（すなわち、抵抗Ｒ１９の一端）は、第６の電圧サンプリング抵抗の一端に接続され、第６の電圧サンプリング抵抗の他端は、第２の電源グランドＧＮＤに接続され、第５の電圧サンプリング抵抗の他端（すなわち、抵抗Ｒ１９の他端）は、電圧比較器ＩＣ２の第１の入力端ＩＮ＋に接続され、第５の電圧サンプリング抵抗、第６の電圧サンプリング抵抗を用いて、第２の直流信号ＤＣ２に対して分圧サンプリングを行って電圧フィードバック信号を取得し、ＤＣ−ＡＣ変換回路の出力端は、第５の電流サンプリング抵抗Ｒ５の一端に接続され、第５の電流サンプリング抵抗Ｒ５の他端は、第２の電源グランドＧＮＤに接続され、第５の電流サンプリング抵抗Ｒ５の一端は、第１の電流サンプリング抵抗Ｒ２２の一端に接続され、第１の電流サンプリング抵抗Ｒ２２の他端は、電圧比較器ＩＣ２の第２の入力端ＩＮ２＋に接続され、同様に、第５の電流サンプリング抵抗Ｒ５がＤＣ−ＡＣ変換回路とＡＣ出力端との間に直列接続されているので、ＡＣ出力端の負荷電流の大きさを判断でき、第５の電流サンプリング抵抗Ｒ５、第１の電流サンプリング抵抗Ｒ２２を用いて電流フィードバック信号を取得し、電圧比較器ＩＣ２の出力端ＦＢは主制御回路の入力端に接続される。本実施例において、ＩＣ２は、デュアルオペアンプとなるＬＭ３５８チップである。
【００２６】
本考案における交流変換制御回路の第２の駆動回路の具体的な実施例の回路図である図４に示すように、第２の駆動回路１１は、１１−１と１１−２の２つのサブ駆動回路を含み、サブ駆動回路１１−１はＧＴ３とＧＴ４信号を出力して、パワートランジスタＭ３とパワートランジスタＭ４のオンオフを制御する一方、サブ駆動回路１１−２はＧＴ５とＧＴ６信号を出力してパワートランジスタＭ５とパワートランジスタＭ６のオンオフを制御する。主制御回路１４は、ポートＰＷＭ３、ＰＷＭ４によりサブ駆動回路１１−１と１１−２をそれぞれ制御する。
【００２７】
従来の技術において、ＤＣ−ＤＣ変換回路とＤＣ−ＡＣ変換回路とはそれに対応する回路を異なる制御チップで制御する必要があり、例えば、ＵＣ３８４３制御チップでＤＣ−ＤＣ変換回路を制御し、ＴＬ４９４制御チップでＤＣ−ＡＣ変換回路を制御する。このような組み合わせ回路は複数のチップによる制御方式を応用し、制御回路の複雑さを増加させる。複数のチップによる制御方式の場合、いずれか一方のチップが不安定になると、他のチップが干渉されて不安定になり、組み合わせ回路の性能の安定に不利である。本考案における交流変換制御回路の主制御回路、スイッチ制御回路、状態指示回路、温度検出回路、ファン制御回路及び過負荷検出回路の具体的な実施例の回路図である図５に示すように、本実施例において、主制御回路１４はワンチップマイコンをプロセッサとして採用し、ワンチップマイコンにはＥＭ７８Ｐ２５９ＮワンチップマイコンＩＣ４を用いる。交流変換制御回路は単一のワンチップマイコンを制御チップとして回路の動作を制御し、複数の制御チップ間の干渉を回避し、回路の安定性を向上させ、回路動作の信頼性を向上させるとともに、回路をより簡潔にする。図１〜図５に示すように、ワンチップマイコンＩＣ４の具体的な動作プロセスは以下のとおりである。ワンチップマイコンＩＣ４の内部プログラムは電圧検出回路１０が検出した信号に基づいて第２の直流信号ＤＣ２の電圧大きさを判断し、ワンチップマイコンＩＣ４のＶＦポートにより検出信号を入力し、その内部プログラムにより二乗平均平方根計算を行い、算出した、交流信号を安定的に出力できるＰＷＭデジタル信号を第２の駆動回路１１に出力し、ＡＣ出力を安定させる役割を果たす。同時に、ＰＷＭ３、ＰＷＭ４ポートを制御することによりＰＷＭデジタル信号を第２の駆動回路１１に出力し、さらに第２の駆動回路１１によりパワートランジスタＭ３、パワートランジスタＭ４、パワートランジスタＭ５、パワートランジスタＭ６を駆動してＡＣ出力端３をオフにし、過電圧保護という目的を達成する。また、ワンチップマイコンＩＣ４のＣＤポートは、電流検出回路の電流信号ＣＤを複数回サンプリングし、平均値計算という方式で電流検出回路の電流信号をより正確に算出し、ワンチップマイコンＩＣ４の内部プログラムによって、検出した電流信号ＣＤとワンチップマイコンＩＣ４の設定された基準電圧信号とを比較することにより、過電流の大きさを判断し、これによりＡＣ出力端が過電流になったか否かを判断し、かつＰＷＭ３、ＰＷＭ４ポートのＰＷＭ信号を制御することによりＡＣ出力端をオフにし、過電流保護という目的を達成することができる。
【００２８】
本実施例において、ＤＣ−ＤＣ変換回路及び第１の駆動回路は２種類の回路で実現でき、ＤＣ−ＤＣ変換回路及び第１の駆動回路の第１の実現態様として、図１及び図２に示すように、ＤＣ−ＤＣ変換回路６−Ａにおいて、ＤＣ−ＤＣ変換回路６−Ａは、ＬＣフィルタ、第１のスイッチトランジスタＭ１及び第１のダイオードＤ１を含み、第１のスイッチトランジスタＭ１の正出力端は、整流フィルタ回路５の出力端に接続され、第１のスイッチトランジスタＭ１の制御端は、第１の駆動回路の出力端ＧＴ１に接続され、第１のスイッチトランジスタＭ１の負出力端は、それぞれＬＣフィルタの入力端、第１のダイオードＤ１の負極に接続され、第１のダイオードＤ１の正極は、第２の電源グランドＧＮＤに接続され、ＬＣフィルタの出力端は、それぞれＤＣ−ＡＣ変換回路７の入力端、電圧フィードバック回路９の入力端、電圧検出回路１０の入力端に接続される。ＬＣフィルタは、インダクタンスＬ１とコンデンサＣＥ２を含む。第１のスイッチトランジスタＭ１は、ＭＯＳトランジスタであり、ＭＯＳトランジスタのゲートはスイッチトランジスタの制御端であり、ＭＯＳトランジスタのソースはスイッチトランジスタの負出力端であり、ＭＯＳトランジスタのドレインはスイッチトランジスタの正出力端である。第１の駆動回路は、出力端ＧＴ１により第１のスイッチトランジスタＭ１のオンオフを制御し、第１の直流信号ＤＣ１をインダクタンスＬ１及びコンデンサＣＥ２によりフィルタリングして第２の直流信号ＤＣ２にし、同時に、第１のダイオードＤ１により還流ダイオードとしてインダクタンスＬ１に磁気放電回路を提供する。それに対応して、図２、図３、図５及び図６を参照し、図６は本考案における交流変換制御回路の第１の駆動回路の具体的な実施例の回路図である。第１の駆動回路８−Ａは、ブリッジドライバ、第３のスイッチトランジスタＱ１、第４のスイッチトランジスタＱ２及び第１の有極性コンデンサＣＥ３を含み、ブリッジドライバは、ハーフブリッジドライバＩＣ１−１であり、型番がＩＲ２１０４であり、主制御回路１４の出力端ＰＷＭ１は、ブリッジドライバＩＣ１−１の入力端ＩＮに接続され、ハーフブリッジドライバＩＣ１−１のフローティング電源端ＶＢは、第１の電源の正極Ｖ＋に接続され、第１の電源の正極Ｖ＋は、第１の有極性コンデンサＣＥ３の正極、第３のスイッチトランジスタＱ１の正出力端に接続され、第３のスイッチトランジスタＱ１の制御端は、第４のスイッチトランジスタＱ２の制御端に接続され、第３のスイッチトランジスタＱ１の制御端は、ハーフブリッジドライバＩＣ１−１の第１の駆動端ＨＯに接続され、ハーフブリッジドライバＩＣ１−１のフローティング電源リターン端ＶＳ、第４のスイッチトランジスタＱ２の正出力端、第１の有極性コンデンサＣＥ３の負極及び第１のスイッチトランジスタＭ１の負出力端は、いずれも第１の電源グランドＶ−に接続され、第３のスイッチトランジスタＱ１の負出力端は、第４のスイッチトランジスタＱ２の負出力端に接続され、第３のスイッチトランジスタＱ１の負出力端は、第１のスイッチトランジスタＭ１の制御端に接続される。第３のスイッチトランジスタＱ１、第４のスイッチトランジスタＱ２はトランジスタであり、トランジスタのベースはスイッチトランジスタの制御端であり、トランジスタのエミッタはスイッチトランジスタの負出力端であり、トランジスタのコレクタはスイッチトランジスタの正出力端である。主制御回路１４と電流電圧フィードバック回路は共通グランドの回路であり、電流電圧フィードバック回路は、第２の直流信号ＤＣ２を検出してワンチップマイコンＩＣ４にフィードバックし、ワンチップマイコンＩＣ４はフィードバック信号に基づいて対応するＰＷＭ信号を出力し、かつワンチップマイコンＩＣ４によりＰＷＭ信号をＰＷＭ１ポートを介して第１の駆動回路におけるハーフブリッジドライバＩＣ１−１の入力端ＩＮに出力し、さらにハーフブリッジドライバＩＣ１−１によりフローティング接地端の第１のスイッチトランジスタＭ１を制御し、ＤＣ−ＤＣ変換回路６−Ａに対するフィードバック制御を実現する。
【００２９】
ＤＣ−ＤＣ変換回路及び第１の駆動回路の第２の実現形態は、図１、図２、図５及び図７を参照し、図７は本考案における交流変換制御回路のＤＣ−ＤＣ変換回路及び第１の駆動回路の別の具体的な実施例の回路図である。第２の実施形態と第１の実施形態との区別は、第１の実施形態におけるＤＣ−ＤＣ変換回路６−Ａの代わりにＤＣ−ＤＣ変換回路６−Ｂを用いて、第１の実施形態における第１の駆動回路８−Ａの代わりに第１の駆動回路８−Ｂを用いた点である。具体的に、ＤＣ−ＤＣ変換回路６−Ｂは、ＬＣフィルタ、第１のスイッチトランジスタＭ１及び第２のスイッチトランジスタＭ２を含み、第１のスイッチトランジスタＭ１の正出力端は、整流フィルタ回路５の出力端に接続され、第１のスイッチトランジスタＭ１の制御端は、第２のスイッチトランジスタＭ２の制御端は、それぞれ第１の駆動回路８の出力端に接続され（図７におけるＧＴ１とＧＴ２のように）、第１のスイッチトランジスタＭ１の負出力端は、それぞれＬＣフィルタの入力端、第２のスイッチトランジスタＭ２の正出力端に接続され、第２のスイッチトランジスタＭ２の制御端は、第２のスイッチトランジスタＭ２の負出力端に接続され、第２のスイッチトランジスタＭ２の負出力端は、第２の電源グランドＧＮＤに接続され、ＬＣフィルタの出力端は、それぞれＤＣ−ＡＣ変換回路７の入力端、電圧フィードバック回路９の入力端、電圧検出回路１０の入力端に接続される。ＬＣフィルタは、インダクタンスＬ１とコンデンサＣＥ２を含む。第１のスイッチトランジスタＭ１及び第２のスイッチトランジスタＭ２は、ＭＯＳトランジスタであり、ＭＯＳトランジスタのゲートはスイッチトランジスタの制御端であり、ＭＯＳトランジスタのソースはスイッチトランジスタの負出力端であり、ＭＯＳトランジスタのドレインはスイッチトランジスタの正出力端である。さらに、第１の駆動回路８−Ｂは、ブリッジドライバＩＣ１−２、第３のスイッチトランジスタＱ１、第４のスイッチトランジスタＱ２、第１の有極性コンデンサＣＥ３、第２のダイオードＤ１０、第５のスイッチトランジスタＱ３、第６のスイッチトランジスタＱ４及び第２の有極性コンデンサＣＥ４を含み、ブリッジドライバＩＣ１−２の型番がＩＲ２１０６であり、主制御回路１４の出力端ＰＷＭ１，ＰＷＭ２は、ブリッジドライバＩＣ１−２の入力端ＨＩＮ、ＬＩＮに接続され、ブリッジドライバＩＣ１−２のフローティング電源端ＶＢは、第１の電源の正極Ｖ＋と、第２のダイオードＤ１０の負極とに接続され、第２のダイオードＤ１０の正極は、第２の電源ＶＣＣ、ブリッジドライバＩＣ１−２の電源端ＶＣＣに接続され、第１の電源の正極Ｖ＋は、第１の有極性コンデンサＣＥ３の正極、第３のスイッチトランジスタＱ１の正出力端に接続され、第３のスイッチトランジスタＱ１の制御端は、第４のスイッチトランジスタＱ２の制御端に接続され、第３のスイッチトランジスタＱ１の制御端は、ブリッジドライバＩＣ１−２の第１の駆動端ＨＯに接続され、ブリッジドライバＩＣ１−２のフローティング電源リターン端ＶＳ、第４のスイッチトランジスタＱ２の正出力端、第１の有極性コンデンサＣＥ３の負極及び第１のスイッチトランジスタＭ１の負出力端は、いずれも第１の電源グランドＶ−に接続され、第３のスイッチトランジスタＱ１の負出力端は、第４のスイッチトランジスタＱ２の負出力端に接続され、第３のスイッチトランジスタＱ１の負出力端は、第１のスイッチトランジスタＭ１の制御端に接続され、ブリッジドライバＩＣ１−２の第２の駆動端ＬＯは、第５のスイッチトランジスタＱ３の制御端と、第６のスイッチトランジスタＱ４の制御端とに接続され、第５のスイッチトランジスタＱ３の正出力端は、第２の電源ＶＣＣに接続され、第２の有極性コンデンサＣＥ４の正極は、第２の電源ＶＣＣに接続され、第２の有極性コンデンサＣＥ４の負極、第６のスイッチトランジスタＱ４の正出力端は、第２の電源グランドＧＮＤに接続され、第５のスイッチトランジスタＱ３の負出力端は、第６のスイッチトランジスタＱ４の負出力端に接続され、第５のスイッチトランジスタＱ３の負出力端は、第２のスイッチトランジスタＭ２の制御端に接続される。第１のスイッチトランジスタＭ１及び第２のスイッチトランジスタＭ２は、ＭＯＳトランジスタであり、ＭＯＳトランジスタのゲートはスイッチトランジスタの制御端であり、ＭＯＳトランジスタのソースはスイッチトランジスタの負出力端であり、ＭＯＳトランジスタのドレインはスイッチトランジスタの正出力端である。第３のスイッチトランジスタＱ１、第４のスイッチトランジスタＱ２、第５のスイッチトランジスタＱ３及び第６のスイッチトランジスタＱ４は、トランジスタであり、トランジスタのベースはスイッチトランジスタの制御端であり、トランジスタのエミッタはスイッチトランジスタの負出力端であり、トランジスタのコレクタはスイッチトランジスタの正出力端である。
【００３０】
第２の種類の実現回路は同期整流方式であり、第２のスイッチトランジスタＭ２は同期整流トランジスタであり、第１の駆動回路８−Ｂは、ブリッジドライバＩＣ１−２、ブートストラップ給電回路及びプッシュプル駆動回路を含み、ブリッジドライバＩＣ１−２が２経路のＰＷＭ信号を入力でき、ワンチップマイコンＩＣ４により２経路のＰＷＭ信号を相補なＰＷＭ信号として処理でき、かつ第１のスイッチトランジスタＭ１と第２のスイッチトランジスタＭ２を交互に制御し、インダクタンスＬ１が放電する場合、第２のスイッチトランジスタＭ２がオンになり、同期還流を実現して変換効率を向上させることができ、また、第２のスイッチトランジスタＭ２がオンになった場合、第１の有極性コンデンサＣＥ３の負極は第２のスイッチトランジスタＭ２を介して接地され、この場合、第１の有極性コンデンサＣＥ３は第２のダイオードＤ１０により充電され、かつ第１のスイッチトランジスタＭ１の動作に駆動電源を提供し、第１の有極性コンデンサＣＥ３と第２のダイオードＤ１０とで構成されたブートストラップ回路は、他の補助給電回路を必要とせず第１のスイッチトランジスタＭ１の給電の問題を解決することができ、回路をより簡潔にする。
【００３１】
さらに、図１、図２、図３及び図７を参照して、電圧電流フィードバック回路において、一方の電圧比較器ＩＣ２により第２の直流信号ＤＣ２を検出し、かつ信号を主制御回路におけるワンチップマイコンＩＣ４のＦＢポートにフィードバックし、ワンチップマイコンＩＣ４は、検出されたＦＢ信号を内部プログラムにより演算し、かつＰＷＭ信号を調整して、第１の駆動回路により第１のスイッチトランジスタＭ１及び第２のスイッチトランジスタＭ２を制御し、第２の直流信号ＤＣ２を安定させ、同時に、他方の電圧比較器ＩＣ２は、第５の電流サンプリング抵抗Ｒ５の両端の電圧信号を検出することにより電圧比較器ＩＣ２のＩＮ２−端の基準電圧と比較し、第５の電流サンプリング抵抗Ｒ５がＤＣ−ＡＣ変換回路とＡＣ出力端との間に直列接続されるため、ＡＣ出力端の負荷電流の大きさを判断することができ、同時に、電流信号を主制御回路におけるワンチップマイコンＩＣ４のＦＢポートにフィードバックし、ワンチップマイコンＩＣ４は、検出されたＦＢ信号に基づいて内部プログラムによりＰＷＭ信号を演算し調整し、かつ第１の駆動回路により第１のスイッチトランジスタＭ１及び第２のスイッチトランジスタＭ２を制御し、第２の直流信号ＤＣ２を安定させる。
【００３２】
本考案における交流変換制御回路のＤＣ給電回路の具体的な実施例の回路図である図８に示すように、ＤＣ給電回路１３は電源入力端子ＪＰ３を含み、電源入力端子ＪＰ３を経由して第１の電源及び第２の電源が入力され、第２の電源は、電圧変換チップＩＣ３（すなわち７８Ｌ０５）により５Ｖの電圧に変換され、交流変換制御回路における他の回路に給電する。
【００３３】
図５に示すように、温度検出回路１８は、サーミスタＲＴ２と抵抗Ｒ４４、Ｒ４５により分圧し、かつフィルタコンデンサＣ１０により電圧信号を取得し、ワンチップマイコンＩＣ４のＮＴＣポートにより温度検出回路１８の電圧信号を複数回サンプリングし、かつ平均値計算の方式で温度検出回路１８の電圧信号をより正確に算出し、それにより温度検出回路の検出信号の正確性を判断する。ファン制御回路１９は、駆動抵抗Ｒ４９、Ｒ５０、Ｒ５１によりトランジスタＱ９が接続されたファンポートＪＰ４の電圧を制御し、ファンポートＪＰ４はファンに接続される。ワンチップマイコンＩＣ４が自己点検する時、自己点検ポートはＮＴＣに接続された温度検出回路１８を含み、温度検出回路１８により動作温度がワンチップマイコンＩＣ４の内部プログラムにより設定された温度値より高いと検出すると、ワンチップマイコンＩＣ４のＦＡＮポートにより電圧信号をファン制御回路１９に出力してファンポートＪＰ４のオンオフを制御し、ファンを動作させるように制御して動作温度を低下させ、回路の動作安定性を確保する。過負荷検出回路２０は、抵抗Ｒ５３、Ｒ５４、Ｒ５５、Ｒ５６及びコンデンサＣ４を含み、これらにより第１の直流信号ＤＣ１の大きさを検出し（すなわち、交流変換制御回路の入力電圧の大きさを検出し）、かつＶＨ端によりワンチップマイコンＩＣ４に入力し、主制御回路は、過負荷検出回路２０の検出データの大きさに基づいて、回路が過負荷であるかを判断して、他の回路（例えば、第１の駆動回路及び第２の駆動回路）の動作を制御し、回路が過負荷高圧により破壊されないようにする。また、交流変換制御回路のオンオフを便利に制御するために、オンオフ制御回路１６にスイッチＳ１が設けられ、状態表示回路１７は、交流変換回路の動作状態を指示するために用いられ、状態表示回路１７はグリーン色ＬＥＤ１と赤色ＬＥＤ２を含み、例えば、図１を参照して、電流フィードバック回路１５と電流検出回路１２は、ＤＣ−ＡＣ変換回路７の出力電流の大きさを検出して検出信号を主制御回路１４に入力し、主制御回路１４により上記出力電流に異常が発生したと判定すると、状態表示回路は、回路に異常状況の発生を指示するように動作し、異常が発生した場合に赤色ランプを点灯し、正常な場合にグリーン色ランプを点灯する。
【００３４】
＜実施例３＞
前記交流変換制御回路を含む交流変換制御装置は、動作安定性が高い交流変換制御回路を含むため、装置の安定性が高い。交流変換制御回路の具体的な説明は実施例１及び実施例２を参照するため、説明を省略する。
【００３５】
以上、本考案の好ましい実施例を具体的に説明したが、本考案は前記実施例に限定されるものではなく、当業者は本考案の精神から逸脱しない前提で様々な同等の変形又は置換を行うことができ、これらの等価の変形又は置換はいずれも本願の請求項の範囲内に含まれる。
【図１】
0003220217.tif 000003
【図２】
0003220217.tif 000004
【図３】
0003220217.tif 000005
【図４】
0003220217.tif 000006
【図５】
0003220217.tif 000007
【図６】
0003220217.tif 000008
【図７】
0003220217.tif 000009
【図８】
0003220217.tif 000010